(57)【要約】【課題】  音声情報出力装置を音声再生装置に接続した場合におけるユーザのボリューム操作の手間を削減する。【解決手段】  音声情報出力装置は、接続相手である音声再生装置に基準信号を送出する、基準信号送出手段と、前記基準信号に基づいて前記音声再生装置で生成された出力信号を受信する、出力信号受信手段と、前記出力信号受信手段で受信した前記出力信号と、前記基準信号とを比較して、差分情報を算出する、差分情報算出手段と、設定されているボリューム値に対応するゲインを、前記差分情報を用いて補正したゲインで、音声情報を前記音声再生装置に出力する、音声情報出力手段と、を備える。【選択図】  図２
2006229923.tif 000002
【特許請求の範囲】
【請求項１】
接続相手である音声再生装置に基準信号を送出する、基準信号送出手段と、
前記基準信号に基づいて前記音声再生装置で生成された出力信号を受信する、出力信号受信手段と、
前記出力信号受信手段で受信した前記出力信号と、前記基準信号とを比較して、差分情報を算出する、差分情報算出手段と、
設定されているボリューム値に対応するゲインを、前記差分情報を用いて補正したゲインで、音声情報を前記音声再生装置に出力する、音声情報出力手段と、
を備えることを特徴とする音声情報出力装置。
【請求項２】
前記差分情報算出手段は、前記基準信号の振幅電圧と、前記出力信号の振幅電圧との差分電圧を、前記差分情報として算出する、ことを特徴とする請求項１に記載の音声情報出力装置。
【請求項３】
前記基準信号送出手段は、所定の振幅電圧の正弦波、三角波、又は方形波の信号を、前記基準信号として出力する、ことを特徴とする請求項１又は請求項２に記載の音声情報出力装置。
【請求項４】
前記音声情報出力手段は、設定されているボリューム値に対応するゲインに、前記差分情報に基づいて定められているゲインオフセット値を加算することにより、前記補正したゲインを算出する、ことを特徴とする請求項１乃至請求項３のいずれかに記載の音声情報出力装置。
【請求項５】
それぞれのボリューム値に対応するデフォルトのゲインを保持する、デフォルトボリュームテーブルと、
前記差分情報に基づいて定められているゲインオフセット値を保持する、ゲインオフセット値テーブルと、
前記差分情報に基づいて前記ゲインオフセット値テーブルを検索し、前記差分情報に基づいて定められているゲインオフセット値を取得し、この取得したゲインオフセット値を前記デフォルトボリュームテーブルのゲインに加算して、補正ボリュームテーブルを生成する、補正ボリュームテーブル生成手段と、
をさらに備え、
前記音声情報出力手段は、前記補正ボリュームテーブルを検索して、当該音声情報出力装置に設定されているボリュームに対応する前記補正したゲインを取得する、
ことを特徴とする請求項４に記載の音声情報出力装置。
【請求項６】
それぞれのボリューム値に対応するデフォルトのゲインを保持する、デフォルトボリュームテーブルと、
前記差分情報に基づいて定められているゲインオフセット値を保持する、ゲインオフセット値テーブルと、
をさらに備え、
前記音声情報出力手段は、前記デフォルトボリュームテーブルを検索して、当該音声情報出力装置に設定されているボリューム値に対応するゲインを取得するとともに、前記ゲインオフセット値テーブルを検索して、前記差分情報に基づいて定められているゲインオフセット値を取得し、取得した前記ボリューム値に対応するゲインに、取得した前記ゲインオフセット値を加算することにより、当該音声情報出力装置に設定されているボリュームに対応する前記補正したゲインを取得する、
ことを特徴とする請求項４に記載の音声情報出力装置。
【請求項７】
当該音声情報出力装置に接続ケーブルが接続されたかどうかを検出する、接続検出手段をさらに備えるとともに、
前記基準信号送出手段は、前記接続検出手段が接続ケーブルの接続を検出した場合に、前記音声再生装置に前記基準信号を送出する、ことを特徴とする請求項１乃至請求項６のいずれかに記載の音声情報出力装置。
【請求項８】
当該音声情報出力装置に接続されている音声再生装置を特定する情報である接続機器特定情報を取得する、接続機器特定情報取得手段と、
前記補正ボリュームテーブル生成手段で生成された前記補正ボリュームテーブルを、前記接続機器特定情報とともに保持する、補正ボリュームテーブル保持手段と、
当該音声情報出力装置に接続ケーブルが接続されたかどうかを検出する、接続検出手段と、
前記接続検出手段が接続ケーブルの接続を検出した場合に、前記接続機器特定情報取得手段で前記接続機器特定情報を取得し、この取得した接続機器特定情報に対応する補正ボリュームテーブルが前記補正ボリュームテーブル保持手段に保持されているかどうかを判断する、テーブル判断手段と、
を備えるとともに、
前記テーブル判断手段が、前記取得した接続機器特定情報に対応する補正ボリュームテーブルが前記補正ボリュームテーブル保持手段に保持されている判断した場合には、前記音声情報出力手段は、前記補正ボリュームテーブル保持手段に保持されている前記補正ボリュームテーブルを用いて、当該音声情報出力装置に設定されているボリュームに対応する前記補正したゲインを取得する、
ことを特徴とする請求項５に記載の音声情報出力装置。
【請求項９】
接続相手である音声再生装置に基準信号を送出するステップと、
前記基準信号に基づいて前記音声再生装置で生成された出力信号を受信するステップと、
前記受信した前記出力信号と、前記基準信号とを比較して、差分情報を算出するステップと、
設定されているボリューム値に対応するゲインを、前記差分情報を用いて補正したゲインで、音声情報を前記音声再生装置に出力するステップと、
を備えることを特徴とする音声情報出力装置の制御方法。
【請求項１０】
接続相手である音声再生装置に基準信号を送出するステップと、
前記基準信号に基づいて前記音声再生装置で生成された出力信号を受信するステップと、
前記受信した前記出力信号と、前記基準信号とを比較して、差分情報を算出するステップと、
設定されているボリューム値に対応するゲインを、前記差分情報を用いて補正したゲインで、音声情報を前記音声再生装置に出力するステップと、
を音声情報出力装置に実行させるためのプログラム。
【請求項１１】
接続相手である音声再生装置に基準信号を送出するステップと、
前記基準信号に基づいて前記音声再生装置で生成された出力信号を受信するステップと、
前記受信した前記出力信号と、前記基準信号とを比較して、差分情報を算出するステップと、
設定されているボリューム値に対応するゲインを、前記差分情報を用いて補正したゲインで、音声情報を前記音声再生装置に出力するステップと、
を音声情報出力装置に実行させるためのプログラムが記録された記録媒体。
【請求項１２】
音声情報出力装置と、この音声情報出力装置に接続される音声再生装置とを有する音声再生システムであって、
前記音声情報出力装置は、
前記音声再生装置に基準信号を送出する、基準信号送出手段を、
備えており、
前記音声再生装置は、
前記音声情報出力装置から送出された前記基準信号を受信する、基準信号受信手段と、
前記受信した基準信号を、当該音声再生装置に設定されているボリュームに基づいて再生し、出力信号として前記音声情報出力装置に出力する、出力信号出力手段と、
を備えており、
前記音声情報出力装置は、さらに、
前記音声再生装置から出力された前記出力信号を受信する、出力信号受信手段と、
前記出力信号受信手段で受信した前記出力信号と、前記基準信号とを比較して、差分情報を算出する、差分情報算出手段と、
当該音声情報出力装置に設定されているボリューム値に対応するゲインを、前記差分情報を用いて補正したゲインで、音声情報を前記音声再生装置に出力する、音声情報出力手段と、
を備えることを特徴とする音声再生システム。
【請求項１３】
音声情報出力装置と、この音声情報出力装置に接続される音声再生装置とを有する音声再生システムの制御方法であって、
前記音声情報出力装置から前記音声再生装置に、基準信号を送出するステップと、
前記音声再生装置において、前記音声情報出力装置から送出された前記基準信号を受信するステップと、
前記受信した基準信号を、前記音声再生装置に設定されているボリュームに基づいて再生し、出力信号として、前記音声再生装置から前記音声情報出力装置に出力するステップと、
前記音声情報出力装置において、前記音声再生装置から出力された前記出力信号を受信するステップと、
前記受信した前記出力信号と、前記基準信号とを比較して、差分情報を算出するステップと、
前記音声情報出力装置に設定されているボリューム値に対応するゲインを、前記差分情報を用いて補正したゲインで、音声情報を前記音声情報出力装置から前記音声再生装置に出力するステップと、
を備えることを特徴とする音声再生システムの制御方法。
【請求項１４】
音声情報出力装置と、この音声情報出力装置に接続される音声再生装置とを有する音声再生システムを制御するためのプログラムであって、
前記音声情報出力装置から前記音声再生装置に、基準信号を送出するステップと、
前記音声再生装置において、前記音声情報出力装置から送出された前記基準信号を受信し、前記受信した基準信号を、前記音声再生装置に設定されているボリュームに基づいて再生し、出力信号として、前記音声再生装置から前記音声情報出力装置に出力し、前記出力信号を前記音声情報出力装置において受信するステップと、
前記受信した前記出力信号と、前記基準信号とを比較して、差分情報を算出するステップと、
前記音声情報出力装置に設定されているボリューム値に対応するゲインを、前記差分情報を用いて補正したゲインで、音声情報を前記音声情報出力装置から前記音声再生装置に出力するステップと、
を音声再生システムに実行させるためのプログラム。
【請求項１５】
音声情報出力装置と、この音声情報出力装置に接続される音声再生装置とを有する音声再生システムを制御するためのプログラムが記録された記録媒体であって、
前記音声情報出力装置から前記音声再生装置に、基準信号を送出するステップと、
前記音声再生装置において、前記音声情報出力装置から送出された前記基準信号を受信し、前記受信した基準信号を、前記音声再生装置に設定されているボリュームに基づいて再生し、出力信号として、前記音声再生装置から前記音声情報出力装置に出力し、前記出力信号を前記音声情報出力装置において受信するステップと、
前記受信した前記出力信号と、前記基準信号とを比較して、差分情報を算出するステップと、
前記音声情報出力装置に設定されているボリューム値に対応するゲインを、前記差分情報を用いて補正したゲインで、音声情報を前記音声情報出力装置から前記音声再生装置に出力するステップと、
を音声再生システムに実行させるためのプログラムが記録された記録媒体。
【請求項１６】
接続相手である音声再生装置に、時間とともに振幅電圧の変化する基準信号を送出する、基準信号送出手段と、
前記基準信号に基づいて前記音声再生装置で生成された出力信号を受信する、出力信号受信手段と、
前記出力信号受信手段で受信した前記出力信号の振幅電圧と、予め定められている基準電圧とを比較して、両者が等しくなった時点で、前記基準信号送出手段が送出している前記基準信号と前記基準電圧との差分情報を算出する、差分情報算出手段と、
設定されているボリューム値に対応するゲインを前記差分情報を用いて補正したゲインで、音声情報を前記音声再生装置に出力する、音声情報出力手段と、
を備えることを特徴とする音声情報出力装置。
【請求項１７】
前記差分情報算出手段は、前記出力信号受信手段で受信した前記出力信号の振幅電圧と前記基準電圧とが等しくなった時点の前記基準信号の振幅電圧と、前記予め定められている基準電圧との差分電圧を、前記差分情報として算出する、ことを特徴とする請求項１６に記載の音声情報出力装置。
【請求項１８】
前記基準信号送出手段が送出する基準信号の振幅電圧は、時間とともに、正弦波状、又は三角波状に変化する、ことを特徴とする請求項１６又は請求項１７に記載の音声情報出力装置。
【請求項１９】
接続相手である音声再生装置に、時間とともに振幅電圧の変化する基準信号を送出するステップと、
前記基準信号に基づいて前記音声再生装置で生成された出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を備えることを特徴とする音声情報出力装置の制御方法。
【請求項２０】
接続相手である音声再生装置に、時間とともに振幅電圧の変化する基準信号を送出するステップと、
前記基準信号に基づいて前記音声再生装置で生成された出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を音声情報出力装置に実行させるためのプログラム。
【請求項２１】
接続相手である音声再生装置に、時間とともに振幅電圧の変化する基準信号を送出するステップと、
前記基準信号に基づいて前記音声再生装置で生成された出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を音声情報出力装置に実行させるためのプログラムが記録された記録媒体。
【請求項２２】
音声情報出力装置と、この音声情報出力装置に接続される音声再生装置とを有する音声再生システムであって、
前記音声情報出力装置は、
前記音声再生装置に、時間とともに振幅電圧の変化する基準信号を送出する、基準信号送出手段を、
備えており、
前記音声再生装置は、
前記音声情報出力装置から送出された前記基準信号を受信する、基準信号受信手段と、
前記受信した基準信号を、当該音声再生装置に設定されているボリュームに基づいて再生し、出力信号として前記音声情報出力装置に出力する、出力信号出力手段と、
を備えており、
前記音声情報出力装置は、さらに、
前記音声再生装置から出力された前記出力信号を受信する、出力信号受信手段と、
前記出力信号受信手段で受信した前記出力信号の振幅電圧と、予め定められている基準電圧とを比較して、両者が等しくなった時点で、前記基準信号送出手段が送出している前記基準信号と前記基準電圧との差分情報を算出する、差分情報算出手段と、
設定されているボリューム値に対応するゲインを前記差分情報を用いて補正したゲインで、音声情報を前記音声再生装置に出力する、音声情報出力手段と、
を備えることを特徴とする音声再生システム。
【請求項２３】
音声情報出力装置と、この音声情報出力装置に接続される音声再生装置とを有する音声再生システムの制御方法であって、
前記音声情報出力装置から前記音声再生装置に、時間とともに振幅電圧の変化する基準信号を送出するステップと、
前記音声再生装置において、前記音声情報出力装置から送出された前記基準信号を受信するステップと、
前記受信した基準信号を、当該音声再生装置に設定されているボリュームに基づいて再生し、出力信号として前記音声再生装置から前記音声情報出力装置に出力するステップと、
前記音声情報出力装置において、前記音声再生装置から出力された前記出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を備えることを特徴とする音声再生システムの制御方法。
【請求項２４】
音声情報出力装置と、この音声情報出力装置に接続される音声再生装置とを有する音声再生システムの制御するためのプログラムであって、
前記音声情報出力装置から前記音声再生装置に、時間とともに振幅電圧の変化する基準信号を送出するステップと、
前記音声再生装置において、前記音声情報出力装置から送出された前記基準信号を受信するステップと、
前記受信した基準信号を、当該音声再生装置に設定されているボリュームに基づいて再生し、出力信号として前記音声再生装置から前記音声情報出力装置に出力するステップと、
前記音声情報出力装置において、前記音声再生装置から出力された前記出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を音声再生システムに実行させるためのプログラム。
【請求項２５】
音声情報出力装置と、この音声情報出力装置に接続される音声再生装置とを有する音声再生システムの制御するためのプログラムが記録された記録媒体であって、
前記音声情報出力装置から前記音声再生装置に、時間とともに振幅電圧の変化する基準信号を送出するステップと、
前記音声再生装置において、前記音声情報出力装置から送出された前記基準信号を受信するステップと、
前記受信した基準信号を、当該音声再生装置に設定されているボリュームに基づいて再生し、出力信号として前記音声再生装置から前記音声情報出力装置に出力するステップと、
前記音声情報出力装置において、前記音声再生装置から出力された前記出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を音声再生システムに実行させるためのプログラムが記録された記録媒体。
【発明の詳細な説明】
【技術分野】
【０００１】
本発明は、音声情報出力装置及び音声再生システムに関し、特に、適切な音量により音声再生装置で音声が再生される音声情報出力装置及び音声再生システムに関する。
【背景技術】
【０００２】
携帯型の情報処理端末などの音声情報出力装置は、テレビなどの音声再生装置に接続されて、音声再生装置から音声を再生することができるようになっているものがある。音声情報出力装置が音声再生装置に接続される場合、音声情報出力装置側では、ユーザが操作するボリューム値によって、一意にゲインが定まり、音声情報出力装置の音声出力端子からは、一定のゲイン（アッテネート）値レベルで、アナログ音声データの信号を出力する。
【０００３】
このため、音声再生装置のスピーカから音声を聞く場合、そのユーザが通常、音声再生装置を使用する際に設定しているボリューム位置のままでは、音量が大きすぎたり、小さすぎたりすることがある。このため、ユーザは、その音声再生装置のスピーカからの音量が所望の大きさになるように、音声再生装置のボリュームを操作したり、音声情報出力装置のボリュームを操作したりする必要があり、手間であった。
【０００４】
ここで、特開平１１−３５５６８４号公報（以下、特許文献１という）や、特開２００４−２６６３７９号公報（以下、特許文献２という）には、テレビなどの音声再生装置における音量調節について開示している。しかし、これは音声再生装置自体の音量調節に関する開示のみであり、この音声再生装置に音声情報出力装置が接続される場合までは、想定されていない。
【特許文献１】特開平１１−３５５６８４号公報
【特許文献２】特開２００４−２６６３７９号公報
【発明の開示】
【発明が解決しようとする課題】
【０００５】
そこで本発明は、前記課題に鑑みてなされたものであり、音声情報出力装置を音声再生装置に接続した場合におけるユーザのボリューム操作の手間を削減することを目的とする。
【課題を解決するための手段】
【０００６】
上記課題を解決するため、本発明に係る音声情報出力装置は、
接続相手である音声再生装置に基準信号を送出する、基準信号送出手段と、
前記基準信号に基づいて前記音声再生装置で生成された出力信号を受信する、出力信号受信手段と、
前記出力信号受信手段で受信した前記出力信号と、前記基準信号とを比較して、差分情報を算出する、差分情報算出手段と、
設定されているボリューム値に対応するゲインを、前記差分情報を用いて補正したゲインで、音声情報を前記音声再生装置に出力する、音声情報出力手段と、
を備えることを特徴とする。
【０００７】
この場合、前記差分情報算出手段は、前記基準信号の振幅電圧と、前記出力信号の振幅電圧との差分電圧を、前記差分情報として算出するようにしてもよい。
【０００８】
また、前記基準信号送出手段は、所定の振幅電圧の正弦波、三角波、又は方形波の信号を、前記基準信号として出力するようにしてもよい。
【０００９】
また、前記音声情報出力手段は、設定されているボリューム値に対応するゲインに、前記差分情報に基づいて定められているゲインオフセット値を加算することにより、前記補正したゲインを算出するようにしてもよい。
【００１０】
この場合、それぞれのボリューム値に対応するデフォルトのゲインを保持する、デフォルトボリュームテーブルと、
前記差分情報に基づいて定められているゲインオフセット値を保持する、ゲインオフセット値テーブルと、
前記差分情報に基づいて前記ゲインオフセット値テーブルを検索し、前記差分情報に基づいて定められているゲインオフセット値を取得し、この取得したゲインオフセット値を前記デフォルトボリュームテーブルのゲインに加算して、補正ボリュームテーブルを生成する、補正ボリュームテーブル生成手段と、
をさらに備え、
前記音声情報出力手段は、前記補正ボリュームテーブルを検索して、当該音声情報出力装置に設定されているボリュームに対応する前記補正したゲインを取得するようにしてもよい。
【００１１】
或いは、それぞれのボリューム値に対応するデフォルトのゲインを保持する、デフォルトボリュームテーブルと、
前記差分情報に基づいて定められているゲインオフセット値を保持する、ゲインオフセット値テーブルと、
をさらに備え、
前記音声情報出力手段は、前記デフォルトボリュームテーブルを検索して、当該音声情報出力装置に設定されているボリューム値に対応するゲインを取得するとともに、前記ゲインオフセット値テーブルを検索して、前記差分情報に基づいて定められているゲインオフセット値を取得し、取得した前記ボリューム値に対応するゲインに、取得した前記ゲインオフセット値を加算することにより、当該音声情報出力装置に設定されているボリュームに対応する前記補正したゲインを取得するようにしてもよい。
【００１２】
また、当該音声情報出力装置に接続ケーブルが接続されたかどうかを検出する、接続検出手段をさらに備えるとともに、
前記基準信号送出手段は、前記接続検出手段が接続ケーブルの接続を検出した場合に、前記音声再生装置に前記基準信号を送出するようにしてもよい。
【００１３】
或いは、当該音声情報出力装置に接続されている音声再生装置を特定する情報である接続機器特定情報を取得する、接続機器特定情報取得手段と、
前記補正ボリュームテーブル生成手段で生成された前記補正ボリュームテーブルを、前記接続機器特定情報とともに保持する、補正ボリュームテーブル保持手段と、
当該音声情報出力装置に接続ケーブルが接続されたかどうかを検出する、接続検出手段と、
前記接続検出手段が接続ケーブルの接続を検出した場合に、前記接続機器特定情報取得手段で前記接続機器特定情報を取得し、この取得した接続機器特定情報に対応する補正ボリュームテーブルが前記補正ボリュームテーブル保持手段に保持されているかどうかを判断する、テーブル判断手段と、
を備えるとともに、
前記テーブル判断手段が、前記取得した接続機器特定情報に対応する補正ボリュームテーブルが前記補正ボリュームテーブル保持手段に保持されている判断した場合には、前記音声情報出力手段は、前記補正ボリュームテーブル保持手段に保持されている前記補正ボリュームテーブルを用いて、当該音声情報出力装置に設定されているボリュームに対応する前記補正したゲインを取得するようにしてもよい。
【００１４】
本発明に係る音声情報出力装置の制御方法は、
接続相手である音声再生装置に基準信号を送出するステップと、
前記基準信号に基づいて前記音声再生装置で生成された出力信号を受信するステップと、
前記受信した前記出力信号と、前記基準信号とを比較して、差分情報を算出するステップと、
設定されているボリューム値に対応するゲインを、前記差分情報を用いて補正したゲインで、音声情報を前記音声再生装置に出力するステップと、
を備えることを特徴とする。
【００１５】
本発明に係るプログラムは、
接続相手である音声再生装置に基準信号を送出するステップと、
前記基準信号に基づいて前記音声再生装置で生成された出力信号を受信するステップと、
前記受信した前記出力信号と、前記基準信号とを比較して、差分情報を算出するステップと、
設定されているボリューム値に対応するゲインを、前記差分情報を用いて補正したゲインで、音声情報を前記音声再生装置に出力するステップと、
を音声情報出力装置に実行させることを特徴とする。
【００１６】
本発明に係るプログラムを記録した記録媒体は、
接続相手である音声再生装置に基準信号を送出するステップと、
前記基準信号に基づいて前記音声再生装置で生成された出力信号を受信するステップと、
前記受信した前記出力信号と、前記基準信号とを比較して、差分情報を算出するステップと、
設定されているボリューム値に対応するゲインを、前記差分情報を用いて補正したゲインで、音声情報を前記音声再生装置に出力するステップと、
を音声情報出力装置に実行させるためのプログラムが記録されたことを特徴とする。
【００１７】
本発明に係る音声再生システムは、
音声情報出力装置と、この音声情報出力装置に接続される音声再生装置とを有する音声再生システムであって、
前記音声情報出力装置は、
前記音声再生装置に基準信号を送出する、基準信号送出手段を、
備えており、
前記音声再生装置は、
前記音声情報出力装置から送出された前記基準信号を受信する、基準信号受信手段と、
前記受信した基準信号を、当該音声再生装置に設定されているボリュームに基づいて再生し、出力信号として前記音声情報出力装置に出力する、出力信号出力手段と、
を備えており、
前記音声情報出力装置は、さらに、
前記音声再生装置から出力された前記出力信号を受信する、出力信号受信手段と、
前記出力信号受信手段で受信した前記出力信号と、前記基準信号とを比較して、差分情報を算出する、差分情報算出手段と、
当該音声情報出力装置に設定されているボリューム値に対応するゲインを、前記差分情報を用いて補正したゲインで、音声情報を前記音声再生装置に出力する、音声情報出力手段と、
を備えることを特徴とする。
【００１８】
本発明に係る音声再生システムの制御方法は、
音声情報出力装置と、この音声情報出力装置に接続される音声再生装置とを有する音声再生システムの制御方法であって、
前記音声情報出力装置から前記音声再生装置に、基準信号を送出するステップと、
前記音声再生装置において、前記音声情報出力装置から送出された前記基準信号を受信するステップと、
前記受信した基準信号を、前記音声再生装置に設定されているボリュームに基づいて再生し、出力信号として、前記音声再生装置から前記音声情報出力装置に出力するステップと、
前記音声情報出力装置において、前記音声再生装置から出力された前記出力信号を受信するステップと、
前記受信した前記出力信号と、前記基準信号とを比較して、差分情報を算出するステップと、
前記音声情報出力装置に設定されているボリューム値に対応するゲインを、前記差分情報を用いて補正したゲインで、音声情報を前記音声情報出力装置から前記音声再生装置に出力するステップと、
を備えることを特徴とする。
【００１９】
本発明に係るプログラムは、
音声情報出力装置と、この音声情報出力装置に接続される音声再生装置とを有する音声再生システムを制御するためのプログラムであって、
前記音声情報出力装置から前記音声再生装置に、基準信号を送出するステップと、
前記音声再生装置において、前記音声情報出力装置から送出された前記基準信号を受信し、前記受信した基準信号を、前記音声再生装置に設定されているボリュームに基づいて再生し、出力信号として、前記音声再生装置から前記音声情報出力装置に出力し、前記出力信号を前記音声情報出力装置において受信するステップと、
前記受信した前記出力信号と、前記基準信号とを比較して、差分情報を算出するステップと、
前記音声情報出力装置に設定されているボリューム値に対応するゲインを、前記差分情報を用いて補正したゲインで、音声情報を前記音声情報出力装置から前記音声再生装置に出力するステップと、
を音声再生システムに実行させることを特徴とする。
【００２０】
本発明に係るプログラムが記録された記録媒体は、
音声情報出力装置と、この音声情報出力装置に接続される音声再生装置とを有する音声再生システムを制御するためのプログラムが記録された記録媒体であって、
前記音声情報出力装置から前記音声再生装置に、基準信号を送出するステップと、
前記音声再生装置において、前記音声情報出力装置から送出された前記基準信号を受信し、前記受信した基準信号を、前記音声再生装置に設定されているボリュームに基づいて再生し、出力信号として、前記音声再生装置から前記音声情報出力装置に出力し、前記出力信号を前記音声情報出力装置において受信するステップと、
前記受信した前記出力信号と、前記基準信号とを比較して、差分情報を算出するステップと、
前記音声情報出力装置に設定されているボリューム値に対応するゲインを、前記差分情報を用いて補正したゲインで、音声情報を前記音声情報出力装置から前記音声再生装置に出力するステップと、
を音声再生システムに実行させるためのプログラムが記録されたことを特徴とする。
【００２１】
本発明に係る音声情報出力装置は、
接続相手である音声再生装置に、時間とともに振幅電圧の変化する基準信号を送出する、基準信号送出手段と、
前記基準信号に基づいて前記音声再生装置で生成された出力信号を受信する、出力信号受信手段と、
前記出力信号受信手段で受信した前記出力信号の振幅電圧と、予め定められている基準電圧とを比較して、両者が等しくなった時点で、前記基準信号送出手段が送出している前記基準信号と前記基準電圧との差分情報を算出する、差分情報算出手段と、
設定されているボリューム値に対応するゲインを前記差分情報を用いて補正したゲインで、音声情報を前記音声再生装置に出力する、音声情報出力手段と、
を備えることを特徴とする。
【００２２】
この場合、前記差分情報算出手段は、前記出力信号受信手段で受信した前記出力信号の振幅電圧と前記基準電圧とが等しくなった時点の前記基準信号の振幅電圧と、前記予め定められている基準電圧との差分電圧を、前記差分情報として算出するようにしてもよい。
【００２３】
また、前記基準信号送出手段が送出する基準信号の振幅電圧は、時間とともに、正弦波状、又は三角波状に変化するようにしてもよい。
【００２４】
本発明に係る音声情報出力装置の制御方法は、
接続相手である音声再生装置に、時間とともに振幅電圧の変化する基準信号を送出するステップと、
前記基準信号に基づいて前記音声再生装置で生成された出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を備えることを特徴とする。
【００２５】
本発明に係るプログラムは、
接続相手である音声再生装置に、時間とともに振幅電圧の変化する基準信号を送出するステップと、
前記基準信号に基づいて前記音声再生装置で生成された出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を音声情報出力装置に実行させることを特徴とする。
【００２６】
本発明に係る記録媒体は、
接続相手である音声再生装置に、時間とともに振幅電圧の変化する基準信号を送出するステップと、
前記基準信号に基づいて前記音声再生装置で生成された出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を音声情報出力装置に実行させるためのプログラムが記録されたことを特徴とする。
【００２７】
本発明に係る音声再生システムは、
音声情報出力装置と、この音声情報出力装置に接続される音声再生装置とを有する音声再生システムであって、
前記音声情報出力装置は、
前記音声再生装置に、時間とともに振幅電圧の変化する基準信号を送出する、基準信号送出手段を、
備えており、
前記音声再生装置は、
前記音声情報出力装置から送出された前記基準信号を受信する、基準信号受信手段と、
前記受信した基準信号を、当該音声再生装置に設定されているボリュームに基づいて再生し、出力信号として前記音声情報出力装置に出力する、出力信号出力手段と、
を備えており、
前記音声情報出力装置は、さらに、
前記音声再生装置から出力された前記出力信号を受信する、出力信号受信手段と、
前記出力信号受信手段で受信した前記出力信号の振幅電圧と、予め定められている基準電圧とを比較して、両者が等しくなった時点で、前記基準信号送出手段が送出している前記基準信号と前記基準電圧との差分情報を算出する、差分情報算出手段と、
設定されているボリューム値に対応するゲインを前記差分情報を用いて補正したゲインで、音声情報を前記音声再生装置に出力する、音声情報出力手段と、
を備えることを特徴とする。
【００２８】
音声再生システムの制御方法は、
音声情報出力装置と、この音声情報出力装置に接続される音声再生装置とを有する音声再生システムの制御方法であって、
前記音声情報出力装置から前記音声再生装置に、時間とともに振幅電圧の変化する基準信号を送出するステップと、
前記音声再生装置において、前記音声情報出力装置から送出された前記基準信号を受信するステップと、
前記受信した基準信号を、当該音声再生装置に設定されているボリュームに基づいて再生し、出力信号として前記音声再生装置から前記音声情報出力装置に出力するステップと、
前記音声情報出力装置において、前記音声再生装置から出力された前記出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を備えることを特徴とする。
【００２９】
本発明に係るプログラムは、
音声情報出力装置と、この音声情報出力装置に接続される音声再生装置とを有する音声再生システムの制御するためのプログラムであって、
前記音声情報出力装置から前記音声再生装置に、時間とともに振幅電圧の変化する基準信号を送出するステップと、
前記音声再生装置において、前記音声情報出力装置から送出された前記基準信号を受信するステップと、
前記受信した基準信号を、当該音声再生装置に設定されているボリュームに基づいて再生し、出力信号として前記音声再生装置から前記音声情報出力装置に出力するステップと、
前記音声情報出力装置において、前記音声再生装置から出力された前記出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を音声再生システムに実行させることを特徴とする。
【００３０】
本発明に係る記録媒体は、
音声情報出力装置と、この音声情報出力装置に接続される音声再生装置とを有する音声再生システムの制御するためのプログラムが記録された記録媒体であって、
前記音声情報出力装置から前記音声再生装置に、時間とともに振幅電圧の変化する基準信号を送出するステップと、
前記音声再生装置において、前記音声情報出力装置から送出された前記基準信号を受信するステップと、
前記受信した基準信号を、当該音声再生装置に設定されているボリュームに基づいて再生し、出力信号として前記音声再生装置から前記音声情報出力装置に出力するステップと、
前記音声情報出力装置において、前記音声再生装置から出力された前記出力信号を受信するステップと、
前記受信した前記出力信号の振幅電圧と、予め定められている基準電圧とを比較して、両者が等しくなった時点で、前記送出している前記基準信号と前記基準電圧との差分情報を算出するステップと、
設定されているボリューム値に対応するゲインを前記差分情報を用いて補正したゲインで、音声情報を前記音声再生装置に出力するステップと、
を音声再生システムに実行させるためのプログラムが記録されたことを特徴とする。
【発明を実施するための最良の形態】
【００３１】
〔第１実施形態〕
図１は、音声情報出力装置１０と音声再生装置２０とを有する音声再生システムの全体構成を示す図であり、また、音声情報出力装置１０と音声再生装置２０の内部構成をブロックで示す図である。
【００３２】
この図１に示すように、音声情報出力装置１０は、ＣＰＵ（Central Processing Unit）３０と、ＲＡＭ（Random Access Memory）３２と、ＲＯＭ（Read Only Memory）３４と、ハードディスクドライブ３６とを備えており、これらは内部バスを介して相互に接続されている。
【００３３】
また、音声情報出力装置１０は、さらに、デジタル音声信号処理部４０と、デジタルボリューム４２と、デジタル／アナログコンバータ４４と、音声出力端子５０と、音声入力端子５２と、アナログ／デジタルコンバータ６０とを備えている。
【００３４】
デジタル音声信号処理部４０は、例えばＤＳＰ（Digital Signal Processor）により構成されており、ＣＰＵ３０から出力された圧縮されているデジタル音声データを受信し、これを伸張する。ここで、「音声」とは、人の声のみならず、音や音楽などを含む広い概念を意味しているものとする。
【００３５】
続いて、この伸張されたデジタル音声データは、デジタルボリューム４２に入力される。このデジタルボリューム４２では、設定されているボリューム値に応じて、このデジタル音声データのボリュームを減衰する。本実施形態においては、デジタルボリューム４２のボリューム値は、「０」から「２０」の２１段階にデジタル的に区分されており、ソフトウェアによりユーザが適宜、設定変更可能である。設定されているボリューム値は、ＣＰＵ３０からデジタルボリューム４２に伝達される。デジタルボリューム４２から出力されたデジタル音声データは、デジタル／アナログコンバータ４４でアナログ信号に変換され、アナログ音声データとなる。このアナログ音声データは、音声増幅器４６において、所定の増幅率で増幅され、音声出力端子５０から出力される。
【００３６】
音声出力端子５０から出力されたアナログ音声データは、接続ケーブル７０を介して、音声再生装置２０の音声入力端子８０に入力される。そして、このアナログ音声データは、音声データ受信再生部２１で受信されて再生され、スピーカ２２から出力される。この音声データ受信再生部２１で再生されるボリュームは、ボリューム設定部２３におけるユーザの設定に依存している。
【００３７】
一方、音声再生装置２０のスピーカ２２から出力されるアナログ音声データは、出力部２４にも入力され、この出力部２４から、音声出力端子８２に出力される。すなわち、音声再生装置２０に設定されているボリュームに応じたアナログ音声データが、音声出力端子８２から出力されることとなる。この音声再生装置２０から出力されたアナログ音声データは、接続ケーブル７２を介して、音声情報出力装置１０の音声入力端子５２に入力される。
【００３８】
この入力されたアナログ音声データは、アナログ／デジタルコンバータ６０で、デジタル音声データに変換され、デジタル音声信号処理部４０に取り込まれて、必要な信号処理が行われる。
【００３９】
さらにまた、本実施形態に係る音声情報出力装置１０は、接続プラグ検出部９０を備えている。この接続プラグ検出部９０は、音声出力端子５０に接続ケーブル７０の接続プラグが挿入されたり、抜かれたりしたことを検出するとともに、音声入力端子５２に接続ケーブル７２の接続プラグが挿入されたり、抜かれたりしたことを検出する。つまり、接続プラグ検出部９０は、端子５０、５２の接続プラグの挿抜を検出する。この検出情報は、ＣＰＵ３０に伝達される。
【００４０】
次に、図２に基づいて、本実施形態に係る音声情報出力装置１０で実行されるボリューム設定処理について説明する。この図２に示すボリューム設定処理は、例えば、ＲＯＭ３４又はハードディスクドライブ３６に格納されているボリューム設定プログラムを、ＣＰＵ３０が読み込んで実行することにより、実現される処理である。また、本実施形態では、このボリューム設定処理は、音声情報出力装置１０の電源がオンになった際に、自動的に起動される処理である。
【００４１】
この図２に示すように、音声情報出力装置１０は、まず、音声出力端子５０と音声入力端子５２に、接続プラグが挿入されたかどうかを判断する（ステップＳ１０）。この判断は、上述した接続プラグ検出部９０の検出情報を、ＣＰＵ３０が取り込むことにより行われる。音声出力端子５０と音声入力端子５２に接続プラグが挿入されていない場合（ステップＳ１０：ＮＯ）には、このステップＳ１０の処理を繰り返して待機する。
【００４２】
一方、音声出力端子５０と音声入力端子５２に接続プラグが挿入された場合（ステップＳ１０：ＹＥＳ）には、音声情報出力装置１０は、基準信号を音声再生装置２０に送出する（ステップＳ１２）。具体的には、本実施形態においては、ＣＰＵ３０は、デジタル音声信号処理部４０に正弦波のデジタル音声データを出力するとともに、この正弦波の振幅が５００ｍＶになるようにデジタルボリューム４２を設定する。そして、この正弦波のデジタル音声データを、デジタル／アナログコンバータ４４と音声増幅器４６を介して、音声再生装置２０に出力する。なお、ＣＰＵ３０がデジタル音声信号処理部４０に出力するデジタル音声データは、正弦波に限らず、三角波、又は方形波などでもよい。
【００４３】
次に、音声情報出力装置１０は、相手の音声再生装置２０から出力信号を受信したかどうかを判断する（ステップＳ１４）。具体的には、音声再生装置２０は、上述したように、基準信号を音声再生装置２０に設定されているボリュームで再生し、この再生することにより得られたアナログ音声データを音声情報出力装置１０に出力する。この出力されたアナログ音声データを、音声情報出力装置１０では、アナログ／デジタルコンバータ６０でデジタル音声データに変換し、デジタル音声信号処理部４０を介してＣＰＵ３０が、音声再生装置２０からの出力信号として取り込む。この出力信号を受信していない場合（ステップＳ１４：ＮＯ）には、上述したステップＳ１２からを繰り返して、基準信号を出力し続ける。
【００４４】
一方、出力信号を受信した場合（ステップＳ１４：ＹＥＳ）には、音声情報出力装置１０は、差分電圧＝（基準信号の振幅電圧）−（音声再生装置２０からの出力信号の振幅電圧）を算出する（ステップＳ１６）。ここでは、例えば、音声再生装置２０からの出力信号の振幅電圧が８００ｍＶだったとすると、差分電圧は、５００ｍＶ−８００ｍＶ＝−３００ｍＶとなる。
【００４５】
次に、音声情報出力装置１０は、算出された差分電圧に基づいて、ゲインオフセット値を取得する（ステップＳ１８）。具体的には、本実施形態においては、図３に示すゲインオフセット値テーブルＴＢ１０が、ＲＯＭ３４又はハードディスクドライブ３６に格納されている。このゲインオフセット値テーブルＴＢ１０には、算出された差分電圧に対応するゲインオフセット値が予め格納されている。このため、音声情報出力装置１０は、算出された差分電圧に基づいて、このゲインオフセット値テーブルＴＢ１０を検索し、対応するゲインオフセット値を求める。上述した例では、差分電圧が−３００ｍＶであるので、ゲインオフセット値は−６ｄＢになる。なお、算出された差分電圧の値そのものがゲインオフセット値テーブルＴＢ１０に存在しない場合は、例えば、差分電圧を１０の位の単位で四捨五入すればよい。
【００４６】
次に、音声情報出力装置１０は、デフォルトのデジタルボリュームテーブルにゲインオフセット値を加算したデジタルボリュームテーブルを生成する（ステップＳ２０）。具体的には、本実施形態においては、図４に示すデフォルトのデジタルボリュームテーブルＴＢ２０が、ＲＯＭ３４又はハードディスクドライブ３６に格納されている。このデジタルボリュームテーブルＴＢ２０においては、本実施形態に係る音声情報出力装置１０が有しているボリューム値「０」から「２０」に対応するデジタルボリューム４２のゲイン（減衰量）が、それぞれ格納されている。このデフォルトのデジタルボリュームテーブルＴＢ２０を音声情報出力装置１０は読み出して、ステップＳ１８で取得したゲインオフセット値を加算して、ゲインオフセット値を加算したデジタルボリュームテーブルを生成する。上述した例では、ゲインオフセット値が−６ｄＢであるので、図５に示すようなデジタルボリュームテーブルＴＢ３０が生成される。
【００４７】
次に、音声情報出力装置１０は、ステップＳ２０で生成されたデジタルボリュームテーブルＴＢ３０を、ＲＡＭ３２又はハードディスクドライブ３６に格納する（ステップＳ２２）。そして、音声情報出力装置１０は、音声データの出力を開始する（ステップＳ２４）。この音声データを出力するにあたり、音声情報出力装置１０は、デジタルボリューム部４２のゲインを、ゲインオフセット値を加算したデジタルボリュームテーブルＴＢ３０に基づいて設定する。例えば、音声情報出力装置１０にユーザが設定したボリューム値が「５」である場合、ゲインは−３６ｄＢとなる。これは、同じボリューム値「５」におけるデフォルトの−３０ｄＢより、６ｄＢだけ減衰量が多いことを意味している。
【００４８】
次に、音声情報出力装置１０は、音声出力端子５０と音声入力端子５２とから接続プラグが抜かれたかどうかを判断する（ステップＳ２６）。この判断は、上述した接続プラグ検出部９０の検出情報を、ＣＰＵ３０が取り込むことにより行われる。音声出力端子５０と音声入力端子５２とから接続プラグが抜かれていない場合（ステップＳ２６：ＮＯ）には、このステップＳ２６の処理を繰り返して待機する。すなわち、音声情報出力装置１０は、ゲインオフセット値を加算したデジタルボリュームテーブルＴＢ３０を用いて、音声データの出力を続けることとなる。
【００４９】
一方、音声出力端子５０と音声入力端子５２とから接続プラグが抜かれた場合（ステップＳ２６：ＹＥＳ）には、音声情報出力装置１０は、ステップＳ２２で格納したデジタルボリュームテーブルＴＢ３０を消去する（ステップＳ２８）。そして、上述したステップＳ１０の処理に戻る。
【００５０】
以上のように、本実施形態に係る音声再生システムによれば、基準信号を音声情報出力装置１０から音声再生装置２０に送出して戻ってきた出力信号の電圧に応じて、ゲインオフセット値を設定し、このゲインオフセット値を加算したゲインに基づいて、音声データを出力することとしたので、音声情報出力装置１０の接続相手である音声再生装置２０の種類や機種に関係なく、ユーザが音声再生装置２０に通常設定している音量での再生を、自動的に行うことができる。すなわち、音声再生装置２０が出力する出力信号は、音声再生装置２０に設定されているボリュームに応じて、その振幅電圧が変動する。したがって、この振幅電圧を、音声情報出力装置１０から出力した基準信号の振幅電圧と比較して、この比較結果に基づいて、音声情報出力装置１０から出力される音声データのゲインに適当な補正を加えることにより、音声再生装置２０における音量を、ユーザが音声再生装置２０で通常聞いている音量と同程度に自動的にすることができる。このため、ユーザにとって煩雑なボリューム操作を不要にすることができる。
【００５１】
しかも、音声情報出力装置１０は、接続プラグが挿入されるたびに、音声情報出力装置１０は基準信号を出力し、戻ってきた音声再生装置２０からの出力信号に基づいてゲインオフセット値を設定するので、音声再生装置２０の機種が変更された場合や、音声再生装置２０に設定されているボリュームが変更された場合でも、ユーザの手を煩わせることなく適切な音量で、音声再生装置２０から再生することができるようになる。
【００５２】
〔第２実施形態〕
第２実施形態は、上述した第１実施形態を変形して、一度作成したオフセット値を加算したデジタルボリュームテーブルＴＢ３０はその後も保存しておくことにより、後で同じ機器の音声再生装置２０に音声データの出力をする際には、その保存されているデジタルボリュームテーブルＴＢ３０を用いてゲインの設定をするようにしたものである。以下、上述した第１実施形態と異なる部分のみを説明する。
【００５３】
図６は、第２実施形態に係るボリューム設定処理の内容を説明するフローチャートを示す図であり、上述した図２に対応する図である。この図６に示すように、本実施形態では、音声出力端子５０と音声入力端子５２に接続プラグが挿入された場合（ステップＳ１０：ＹＥＳ）には、音声情報出力装置１０は、接続相手を特定する情報である接続機器特定情報を取得する（ステップＳ１００）。この接続機器特定情報を取得する手法は、様々なものが考えられるが、例えば、ユーザに接続機器を特定する情報を音声情報出力装置１０に入力させてもよいし、或いは、音声情報出力装置１０に接続されている音声再生装置２０から製造番号や機種特定情報などをインターフェースケーブルを介して音声情報出力装置１０が取得するようにしてもよい。
【００５４】
次に、音声情報出力装置１０は、取得した接続機器特定情報に基づいて、ハードディスクドライブ３６を検索し、これまで生成して保持されているオフセット値を加算したデジタルボリュームテーブルＴＢ３０の中に、今回の接続相手のデジタルボリュームテーブルＴＢ３０が存在するかどうかを判断する（ステップＳ１０２）。
【００５５】
図７は、本実施形態におけるハードディスクドライブ３６に格納されているオフセット値を加算したデジタルボリュームテーブルＴＢ３０の一例を示す図である。この図７から分かるように、本実施形態では、デジタルボリュームテーブルＴＢ３０に、このテーブルを用いるべき接続相手の接続機器特定情報が格納されている。このため、音声情報出力装置１０は、デジタルボリュームテーブルＴＢ３０に格納されている接続機器特定情報を検索して、ステップＳ１００で取得した接続機器特定情報と同一の情報を保持するテーブルが存在するかどうかを調べる。
【００５６】
同一の接続機器特定情報を保持するデジタルボリュームテーブルＴＢ３０が存在しない場合（ステップＳ１０２：ＮＯ）には、上述した第１実施形態におけるステップＳ１２からステップＳ２０を実行する。但し、ステップＳ２２において、オフセット値を加算したデジタルボリュームテーブルＴＢ３０を格納する際には、接続機器特定情報を付加するとともに、ハードディスクドライブ３６に格納する（ステップＳ２２Ａ）。そして、この新たにハードディスクドライブ３６に格納したデジタルボリュームテーブルＴＢ３０を用いて、音声データの出力を開始する（ステップＳ２４）。
【００５７】
一方、上述したステップＳ１０２で、同じ接続機器特定情報を保持するオフセット値を加算したデジタルボリュームテーブルＴＢ３０がハードディスクドライブ３６に存在すると判断した場合（ステップＳ１０２：ＹＥＳ）には、音声情報出力装置１０は、そのデジタルボリュームテーブルＴＢ３０を用いて、音声データの出力を開始する（ステップＳ１０４）。
【００５８】
そして、これらステップＳ１０４、ステップＳ２４の後、音声情報出力装置１０は、音声出力端子５０と音声入力端子５２とから接続プラグが抜かれたかどうかを判断し（ステップＳ２８）、接続プラグが抜かれた場合（ステップＳ２６：ＹＥＳ）には、上述したステップＳ１０に戻る。
【００５９】
以上のように、本実施形態に係る音声再生システムによれば、接続相手のゲインオフセット値を加算したデジタルボリュームテーブルＴＢ３０が、音声情報出力装置１０のハードディスクドライブ３６にすでに格納されている場合には、これをそのまま利用して音声データのデジタルボリューム４２におけるゲインを設定することとしたので、ゲインオフセット値を加したデジタルボリュームテーブルＴＢ３０を生成する
ための処理を省略することができる。
【００６０】
〔第３実施形態〕
第３実施形態は、上述した第１実施形態を変形して、音声情報出力装置１０から出力される基準信号の振幅電圧が時間とともに変化するようにし、送出した基準信号の振幅と、戻ってきた音声再生装置２０からの出力信号の振幅とが同じになった時点で、送出した基準信号の振幅電圧と、予め定められている基準電圧との差分電圧を算出し、この算出された差分電圧に基づいてゲインオフセット値を取得するようにしたものである。以下、上述した第１実施形態と異なる部分のみを説明する。
【００６１】
図８は、第３実施形態に係るボリューム設定処理の内容を説明するフローチャートを示す図であり、上述した図２に対応する図である。この図８に示すように、本実施形態では、音声出力端子５０と音声入力端子５２に接続プラグが挿入された場合（ステップＳ１０：ＹＥＳ）には、音声情報出力装置１０は、時間とともに所定の範囲で振幅の大きさが変化する基準信号の音声再生装置２０への送出を開始する（ステップＳ２００）。
【００６２】
図９は、本実施形態に係る基準信号の信号波形の一例を示す図である。この図９に示すように、本実施形態においては、基準信号が電圧Ａを中心として波状に振幅しながら、その振幅電圧が正弦波状に変化している。なお、この基準信号の振幅電圧の変化は、正弦波状に限らず、三角波状などであってもよい。また、基準信号自体も、三角波状、又は方形波状であってもよい。
【００６３】
次に、音声情報出力装置１０は、相手の音声再生装置２０から出力信号を受信したかどうかを判断する（ステップＳ１４）。具体的には、音声再生装置２０は、上述したように、基準信号を音声再生装置２０に設定されているボリュームで再生し、この再生することにより得られたアナログ音声データを音声情報出力装置１０に出力する。この出力されたアナログ音声データを、音声情報出力装置１０では、アナログ／デジタルコンバータ６０でデジタル音声データに変換し、デジタル音声信号処理部４０を介してＣＰＵ３０が、音声再生装置２０からの出力信号として取り込む。この出力信号を受信していない場合（ステップＳ１４：ＮＯ）には、上述したステップＳ２００からを繰り返して、時間とともに振幅電圧の変化する基準信号を出力しながら、音声再生装置２０から出力信号を受信するのを待ち続ける。
【００６４】
一方、出力信号を受信した場合（ステップＳ１４：ＹＥＳ）には、音声情報出力装置１０は、時間とともに振幅電圧が変化する基準信号を送出し続けながら、音声再生装置２０から受信した出力信号の振幅電圧が、予め定められている基準電圧と等しくなったかどうかを判断する（ステップＳ２０２）。受信した出力信号の振幅電圧が、予め定められている基準電圧と等しくない場合（ステップＳ２０２：ＮＯ）には、音声情報出力装置１０は、時間とともに振幅電圧が変化する基準信号を送出し続けながら、このステップＳ２０２の判断を繰り返す。なお、本実施形態においては、この予め定められている基準電圧は、この音声情報出力装置１０の製造時にＲＯＭ３４又はハードディスクドライブ３６に格納されるものとしている。
【００６５】
これに対して、受信した出力信号の振幅電圧が、予め定められている基準電圧と等しくなった場合（ステップＳ２０２：ＹＥＳ）には、音声情報出力装置１０は、差分電圧＝（その時点で出力している基準信号の振幅電圧）−（予め定めされている基準電圧）を算出する（ステップＳ２０４）。ここでは、例えば、音声再生装置２０へ出力した基準信号の振幅電圧が５００ｍＶのときに、音声再生装置２０から受信した出力信号の振幅電圧が予め定められている基準電圧と等しくなり、また、この予め定められている基準電圧が８００ｍＶだったとすると、差分電圧は、５００ｍＶ−８００ｍＶ＝−３００ｍＶとなる。
【００６６】
以下、音声情報出力装置１０は、上述した第１実施形態と同様の処理を行う。すなわち、音声情報出力装置１０は、算出された差分電圧に基づいて、ゲインオフセット値を取得する（ステップＳ１８）。具体的には、第１実施形態で説明した図３に示すゲインオフセット値テーブルＴＢ１０が、ＲＯＭ３４又はハードディスクドライブ３６に格納されている。このゲインオフセット値テーブルＴＢ１０には、算出された差分電圧に対応するゲインオフセット値が予め格納されている。このため、音声情報出力装置１０は、算出された差分電圧に基づいて、このゲインオフセット値テーブルＴＢ１０を検索し、対応するゲインオフセット値を求める。上述した例では、差分電圧が−３００ｍＶであるので、ゲインオフセット値は−６ｄＢになる。なお、算出された差分電圧の値そのものがゲインオフセット値テーブルＴＢ１０に存在しない場合は、例えば、差分電圧を１０の位の単位で四捨五入すればよい。
【００６７】
次に、音声情報出力装置１０は、デフォルトのデジタルボリュームテーブルにゲインオフセット値を加算したデジタルボリュームテーブルを生成する（ステップＳ２０）。具体的には、上述した第１実施形態で説明した図４に示すデフォルトのデジタルボリュームテーブルＴＢ２０が、ＲＯＭ３４又はハードディスクドライブ３６に格納されている。このデジタルボリュームテーブルＴＢ２０においては、本実施形態に係る音声情報出力装置１０が有しているボリューム値「０」から「２０」に対応するデジタルボリューム４２のゲイン（減衰量）が、それぞれ格納されている。このデフォルトのデジタルボリュームテーブルＴＢ２０を音声情報出力装置１０は読み出して、ステップＳ１８で取得したゲインオフセット値を加算して、ゲインオフセット値を加算したデジタルボリュームテーブルを生成する。上述した例では、ゲインオフセット値が−６ｄＢであるので、図５に示すようなデジタルボリュームテーブルＴＢ３０が生成される。
【００６８】
次に、音声情報出力装置１０は、ステップＳ２０で生成されたデジタルボリュームテーブルＴＢ３０を、ＲＡＭ３２又はハードディスクドライブ３６に格納する（ステップＳ２２）。そして、音声情報出力装置１０は、音声データの出力を開始する（ステップＳ２４）。この音声データを出力するにあたり、音声情報出力装置１０は、デジタルボリューム部４２のゲインを、ゲインオフセット値を加算したデジタルボリュームテーブルＴＢ３０に基づいて設定する。例えば、音声情報出力装置１０にユーザが設定したボリューム値が「５」である場合、ゲインは−３６ｄＢとなる。これは、同じボリューム値「５」におけるデフォルトの−３０ｄＢより、６ｄＢだけ減衰量が多いことを意味している。
【００６９】
次に、音声情報出力装置１０は、音声出力端子５０と音声入力端子５２とから接続プラグが抜かれたかどうかを判断する（ステップＳ２６）。この判断は、上述した接続プラグ検出部９０の検出情報を、ＣＰＵ３０が取り込むことにより行われる。音声出力端子５０と音声入力端子５２とから接続プラグが抜かれていない場合（ステップＳ２６：ＮＯ）には、このステップＳ２６の処理を繰り返して待機する。すなわち、音声情報出力装置１０は、ゲインオフセット値を加算したデジタルボリュームテーブルＴＢ３０を用いて、音声データの出力を続けることとなる。
【００７０】
一方、音声出力端子５０と音声入力端子５２とから接続プラグが抜かれた場合（ステップＳ２６：ＹＥＳ）には、音声情報出力装置１０は、ステップＳ２２で格納したデジタルボリュームテーブルＴＢ３０を消去する（ステップＳ２８）。そして、上述したステップＳ１０の処理に戻る。
【００７１】
以上のように、本実施形態に係る音声再生システムによれば、音声情報出力装置１０から音声再生装置２０に送出する基準信号の振幅電圧を時間とともに規則的に変化させ、音声再生装置から戻ってきた出力信号の振幅電圧が、予め定められている基準電圧と等しくなった場合には、そのときの基準信号の振幅電圧と、予め定められている基準電圧との差分電圧を算出し、この差分電圧に基づいてゲインオフセット値を設定し、このゲインオフセット値を加算したゲインに基づいて、音声データを出力することとしたので、音声情報出力装置１０の接続相手である音声再生装置２０の種類や機種に関係なく、ユーザが音声再生装置２０に通常設定している音量での再生を、自動的に行うことができる。
【００７２】
なお、本実施形態に係る発明は、上述した第２実施形態のように、一度作成したデジタルボリュームテーブルＴＢ３０を保存しておく音声情報出力装置１０に対しても適用することもできる。
【００７３】
なお、本発明は上記実施形態に限定されず種々に変形可能である。例えば、上述した音声再生装置２０は、テレビに限られるものではなく、他の音声情報出力装置１０から音声データを取り込んで再生する機能を有する装置であれば足りる。
【００７４】
また、上述した第１実施形態及び第２実施形態において、（基準信号の振幅電圧）−（音声再生装置２０からの出力信号の振幅電圧）により算出される差分電圧は、音声情報出力装置１０が送出した基準信号と、音声再生装置２０からの出力信号とを比較した差分情報の一例であり、両者の増幅割合や、減少割合などに基づいて差分情報を求めるようにしてもよい。同様に、上述した第３実施形態において、（その時点で出力している基準信号の振幅電圧）−（予め定めされている基準電圧）により算出される差分電圧は、その時点で出力している基準信号の振幅電圧と、予め定めされている基準電圧とを比較した差分情報の一例であり、両電圧の比などに基づいて差分情報を求めるようにしてもよい。
【００７５】
また、上述した実施形態では、差分電圧に基づいて定められるゲインオフセット値を加算したデジタルボリュームテーブルＴＢ３０を予め生成し、このデジタルボリュームテーブルＴＢ３０を検索することにより、音声情報出力装置１０に設定されているボリューム値に対応するゲインを取得することとしたが、ゲインオフセット値を加算したデジタルボリュームテーブルＴＢ３０を予め生成することなく、その都度、計算によりゲインを算出するようにしてもよい。すなわち、音声情報出力装置１０は、差分電圧を算出した後に、デフォルトのデジタルボリュームテーブルＴＢ２０を検索して、音声情報出力装置１０に設定されているボリューム値に対応するゲインを取得するとともに、ゲインオフセット値テーブルＴＢ１０を検索して、差分電圧に基づいて定められているゲインオフセット値を取得し、これら取得したボリューム値に対応するゲインに、ゲインオフセット値を加算することにより、音声情報出力装置１０に設定されているボリュームに対応する補正したゲインを取得するようにしてもよい。
【００７６】
また、上述した実施形態における接続プラグ検出部９０は、音声情報出力装置１０と音声再生装置２０との間に接続コード７０、７２が接続されたかどうかを検出するための手段の一例を示すに過ぎず、他の手段によりこれを検出するようにしてもよい。
【００７７】
また、上述の実施形態で説明したボリューム設定処理については、この処理を実行するためのプログラムをフレキシブルディスク、ＣＤ−ＲＯＭ（Compact Disc-Read Only Memory）、ＲＯＭ、メモリカード等の記録媒体に記録して、記録媒体の形で頒布することが可能である。この場合、この記録媒体に記録されたプログラムを音声情報出力装置１０に読み込ませ、実行させることにより、上述した実施形態を実現することができる。
【００７８】
また、音声情報出力装置１０は、オペレーティングシステムや別のアプリケーションプログラム等の他のプログラムを備える場合がある。この場合、音声情報出力装置１０の備える他のプログラムを活用するために、その音声情報出力装置１０が備えるプログラムの中から、上述した実施形態と同等の処理を実現するプログラムを呼び出すような命令を含むプログラムを、記録媒体に記録するようにしてもよい。
【００７９】
さらに、このようなプログラムは、記録媒体の形ではなく、ネットワークを通じて搬送波として頒布することも可能である。ネットワーク上を搬送波の形で伝送されたプログラムは、音声情報出力装置１０に取り込まれて、このプログラムを実行することにより上述した実施形態を実現することができる。
【００８０】
また、記録媒体にプログラムを記録する際や、ネットワーク上を搬送波として伝送される際に、プログラムの暗号化や圧縮化がなされている場合がある。この場合には、これら記録媒体や搬送波からプログラムを読み込んだ音声情報出力装置１０は、そのプログラムの復号や伸張を行った上で、実行する必要がある。
【図面の簡単な説明】
【００８１】
【図１】第１実施形態及び第２実施形態に係る音声再生システムの全体構成と、音声情報出力装置と音声再生装置の内部構成を説明するブロック図。
【図２】第１実施形態に係るボリューム設定処理の内容を説明するフローチャートを示す図。
【図３】第１実施形態及び第２実施形態に係る音声情報出力装置が保持するゲインオフセット値テーブルの一例を示す図。
【図４】第１実施形態及び第２実施形態に係る音声情報出力装置が保持するデフォルトのデジタルボリュームテーブルの一例を示す図。
【図５】第１実施形態に係るゲインオフセット値を加算したデジタルボリュームテーブルの一例を示す図。
【図６】第２実施形態に係るボリューム設定処理の内容を説明するフローチャートを示す図。
【図７】第２実施形態に係るゲインオフセット値を加算したデジタルボリュームテーブルの一例を示す図。
【図８】第３実施形態に係るボリューム設定処理の内容を説明するフローチャートを示す図。
【図９】第３実施形態に係る音声情報出力装置が送出する基準信号の波形の一例を示す図。
【符号の説明】
【００８２】
１０  音声情報出力装置
２０  音声再生装置
２１  音声データ受信再生部
２２  スピーカ
２３  ボリューム設定部
２４  出力部
３０  ＣＰＵ
３２  ＲＡＭ
３４  ＲＯＭ
３６  ハードディスクドライブ
４０  デジタル音声信号処理部
４２  デジタルボリューム
４４  デジタル／アナログコンバータ
４６  音声増幅器
６０  アナログ／デジタルコンバータ
９０  接続プラグ検出部
【図１】
2006229923.tif 000003
【図２】
2006229923.tif 000004
【図３】
2006229923.tif 000005
【図４】
2006229923.tif 000006
【図５】
2006229923.tif 000007
【図６】
2006229923.tif 000008
【図７】
2006229923.tif 000009
【図８】
2006229923.tif 000010
【図９】
2006229923.tif 000011